【手続補正書】
【提出日】平成19年9月20日(2007.9.20)
【手続補正１】
【補正対象書類名】特許請求の範囲
【補正対象項目名】請求項９
【補正方法】変更
【補正の内容】
【請求項９】
前記送受信回路は、
前記多入力多出力通信方式により信号を受信する受信回路と、
前記多入力多出力通信方式により信号を送信する送信回路と、
一方が前記受信回路及び送信回路に接続され、他方が前記アンテナ装置の給電端子に接続された給電回路と、
前記給電端子の接続先を当該受信回路又は送信回路の何れかに切り替える送受信切換スイッチとを有することを特徴とする請求項６に記載の無線通信装置。
【手続補正２】
【補正対象書類名】明細書
【補正対象項目名】００６５
【補正方法】変更
【補正の内容】
【００６５】
絶縁性の基板１９の対角線方向であって、円形状の主励振素子３１の中心に原点を規定したとき、その原点を基準にして、対角線方向に沿うように、９０°毎の円周上（所定の位置）において、絶縁領域を挟んで小片部の一例となる偏波制御用の方形形状の副励振素子１２ａ’〜１２ｄ’（又は摂動素子：切り欠き部）が配置されている。副励振素子１２ａ’〜１２ｄ’は主励振素子３１と同様な金属材料から構成される。副励振素子１２ａ’〜１２ｄ’の作成方法は、例えば、円形状の主励振素子３１の所定の位置をコ字状に切り欠いて、下部の絶縁性の基板１９が露出するように素子分離することにより行われる。切り欠きはエッチングでもグラインダにより溝を切る方法でも何でもよい。
【手続補正３】
【補正対象書類名】明細書
【補正対象項目名】００６８
【補正方法】変更
【補正の内容】
【００６８】
接地パターン１７は、第１の実施例と同様にして基板裏面側に設けられる。バイパスコンデンサ１５ａはスルーホール１６ａを介して接地パターン１７に接続される。他の制御端子１３ｂ〜１３ｄについても、同様にしてスイッチＳＷ２〜ＳＷ４の制御電極に各々チョークコイル１４ｂ、１４ｃ，１４ｄを介して接続される。バイパスコンデンサ１５ｂ、１５ｃ，１５ｄも同様にして接続される。上述のスイッチＳＷ１〜ＳＷ４と、円形パッチアンテナの主励振素子３１や、副励振素子１２ａ’〜１２ｄ’、直流系線路、接地パターン１７等の各制御端子１３ａ〜１３ｄは、ワイヤボンディングによるフェースアップ実装又はバンプによるフェースダウン実装法等により接続される。
【手続補正４】
【補正対象書類名】明細書
【補正対象項目名】００７３
【補正方法】変更
【補正の内容】
【００７３】
アンテナＡＮＴ１には送受切換スイッチ４１が接続される。送受切換スイッチ４１は、高周波ユニット４３内の受信回路４４ａ又は送信回路４５ａのいずれか一方をアンテナＡＮＴ１の給電端子（スルーホール１６ｅ）に接続するようになされる。給電端子は、マイクロストリップライン１８を通してアンテナＡＮＴ１の主励振素子１１に接続され、送信信号を給電し、又は、受信信号を受電する（引き込む）ようになされる。
【手続補正５】
【補正対象書類名】明細書
【補正対象項目名】０１１１
【補正方法】変更
【補正の内容】
【０１１１】
図１０Ａ及びＢは、ＭＩＭＯ通信方式における無線通信装置４０１、４０２間に反射物４０３が存在する場合の送受信例を示す図である。
【手続補正６】
【補正対象書類名】明細書
【補正対象項目名】０１３５
【補正方法】変更
【補正の内容】
【０１３５】
接地パターン１７は、基板裏面側に設けられる。バイパスコンデンサ１５ａはスルーホール１６ａを介して接地パターン１７に接続される。他の制御端子１３ｂ〜１３ｄについても、同様にして副励振素子Ｐ２〜Ｐ４の制御電極５２ｂ，５２ｃ、５２ｄに各々チョークコイル１４ｂ，１４ｃ，１４ｄ等を介して接続される。バイパスコンデンサ１５ｂ，１５ｃ，１５ｄも同様にして接続される。
【手続補正７】
【補正対象書類名】明細書
【補正対象項目名】０１３６
【補正方法】変更
【補正の内容】
【０１３６】
副励振素子Ｐ１〜Ｐ４の導電性又は絶縁性の機能を選択する直流バイアス電圧（以下で機能制御信号Ｓ３１〜Ｓ３４、Ｓ４１〜Ｓ４４ともいう）は、制御電極５２ａ，５２ｂ，５２ｃ、５２ｄと接地パターン１７との間に供給される。制御端子１３ａ〜１３ｄ及び接地パターン１７には図示しない通信制御ユニット（機能制御回路等）が接続され、副励振素子Ｐ１〜Ｐ４に関して、対角線方向の副励振素子Ｐ１と、Ｐ３、Ｐ２とＰ４毎等のようにペアに直流バイアス電圧を供給するようになされる。この方形パッチアンテナは、例えば、新井宏之著、「新アンテナ工学」、総合電子出版（１９９６）に示されるような右旋・左旋偏波等の円偏波放射や直線偏波放射等をするようになされる。
【手続補正８】
【補正対象書類名】明細書
【補正対象項目名】０１３７
【補正方法】変更
【補正の内容】
【０１３７】
図１４Ａ及びＢは、アンテナ装置５００の構造例を示す上面図及びそのＹ１−Ｙ１矢視断面図である。図１５Ａ〜Ｃは、アンテナ装置５００の積層構造例を示す分解上面図である。
【手続補正９】
【補正対象書類名】明細書
【補正対象項目名】０１８９
【補正方法】変更
【補正の内容】
【０１８９】
ステップＣ２で各々のアンテナＡＮＴ１’及びＡＮＴ２’の副励振素子Ｐ１〜Ｐ４の導電性又は絶縁性の組み合わせをｉ＝１に設定する。これらの設定ｊ＝２及びｉ＝１における伝送速度をステップＣ３で測定する。その後、ステップＣ４に移行して、方形パッチアンテナの通信品質が最適であるか否かを判別するために、伝送速度が最大となったか否かを検出する。伝送速度が最大となった場合は、ステップＣ５に移行して、先に検出された通信品質の最適な各々のアンテナＡＮＴ１及びＡＮＴ２の導電性又は絶縁性の組み合わせの設定を記録（登録）する。その後、ステップＣ６に移行する。このように最適であると判別された副励振素子Ｐ１〜Ｐ４の設定を更新保持するステップＣ２〜Ｃ７を順次繰り返すようになされる。
【手続補正１０】
【補正対象書類名】明細書
【補正対象項目名】０２１６
【補正方法】変更
【補正の内容】
【０２１６】
【図１】本発明に係る第１の実施例としてのアンテナ装置１００の構成例を示す図である。
【図２】（Ａ）及び（Ｂ）は、アンテナ装置１００の構造例を示す上面図及びそのＸ１−Ｘ１矢視断面図である。
【図３】（Ａ）〜（Ｃ）は、アンテナ装置１００の積層構造例を示す分解上面図である。
【図４】第２の実施例としてのアンテナ装置２００の構成例を示す上面図である。
【図５】（Ａ）〜（Ｃ）は、ＭＥＭＳスイッチＳＷ１’等の構成例及びその動作例を示す上面図及び断面図である。
【図６】第３の実施例としてのアンテナ装置３００の構成例を示す図である。
【図７】アンテナ装置１００を応用した第４の実施例としての無線通信装置４００の構成例を示すブロック図である。
【図８】アンテナ装置１００を応用した無線通信装置４００の制御例を示すフローチャートである。
【図９】（Ａ）及び（Ｂ）は、ＭＩＭＯ通信方式における無線通信装置４０１、４０２間の非反射時の送受信例を示す図である。
【図１０】（Ａ）及び（Ｂ）は、ＭＩＭＯ通信方式における無線通信装置４０１、２０２間に反射物４０３が存在する場合の送受信例を示す図である。
【図１１】スイッチ（偏波）切換制御時の閾値設定例を示すＲＳＳＩの検出レベル図である。
【図１２】受信側の無線通信装置４０２における偏波切換時の制御例を示すフローチャートである。
【図１３】第５の実施例としてのアンテナ装置５００の構成例を示す図である。
【図１４】（Ａ）及び（Ｂ）は、アンテナ装置５００の構造例を示す上面図及びそのＹ１−Ｙ１矢視断面図である。
【図１５】（Ａ）〜（Ｃ）は、アンテナ装置５００の積層構造例を示す分解上面図である。
【図１６】（Ａ）及び（Ｂ）は、副励振素子Ｐ１等を導電性又は絶縁性にする制御例を示す断面図である。
【図１７】第６の実施例としてのアンテナ装置６００の構成例を示す図である。
【図１８】アンテナ装置５００を応用した第７の実施例としての無線通信装置７００の構成例を示すブロック図である。
【図１９】アンテナ装置５００を応用した無線通信装置７００の制御例を示すフローチャートである。
【図２０】（Ａ）及び（Ｂ）は、ＭＩＭＯ通信方式における無線通信装置７０１、７０２間の非反射時の送受信例を示す図である。
【図２１】（Ａ）及び（Ｂ）は、ＭＩＭＯ通信方式における無線通信装置７０１、７０２間に反射物４０３が存在する場合の送受信例を示す図である。
【図２２】直流バイアス電圧（偏波）切換制御時の閾値設定例を示すＲＳＳＩの検出レベル図である。
【図２３】受信側の無線通信装置７０２における偏波切換時の制御例を示すフローチャートである。
【図２４】従来例に係るＭＩＭＯ通信方式による信号伝搬時の構成例を示す図である。
【図２５】ＭＩＭＯ通信方式における直線偏波用のアンテナ取付け例を示す斜視図である。
【図２６】ＭＩＭＯ通信方式における円偏波用のアンテナ取付け例を示す正面図である。
【図２７】送信端末装置＝右旋・右旋偏波設定時の受信端末装置における受信例を示す概念図である。
【図２８】送信端末装置＝右旋・左旋偏波設定時の受信端末装置における受信例を示す概念図である。
【手続補正１１】
【補正対象書類名】図面
【補正対象項目名】図２
【補正方法】変更
【補正の内容】
【図２】
2006340234.tif 000001
【手続補正１２】
【補正対象書類名】図面
【補正対象項目名】図１４
【補正方法】変更
【補正の内容】
【図１４】
2006340234.tif 000002